(57)【特許請求の範囲】
【請求項１】
屋根材の表面に載置される当接面と、
当接面から連設され、
棟下地材の側部に添設される側面とが設けられており、
当接面または側面には切り込みが形成されており、
当接面が屋根材の表面に載置され、
側面が棟下地材の側部に添設されたときに、
当接面は曲面を形成することができ、
当接面と側面とを合わせた長さは、
少なくとも棟下地材及び棟カバーと屋根材の谷部との間の隙間を塞ぐことができる長さであり、
ポリプロピレン等の合成樹脂から成る硬質薄板である面戸。
【発明の詳細な説明】
【０００１】
【産業上の利用分野】
本発明は、たとえば瓦形のように、山部と谷部を有する屋根材を用いた屋根の棟部分に用いられる面戸に関するものである。
【０００２】
【従来の技術】
図９から図１４により従来技術の実施例について説明するが、図９は金属瓦２を用いた屋根の主棟部分の施工状態を示す説明図であり、図１０及び１１は金属瓦２を用いた屋根の隅棟部分の端面を描いた説明図であり、図１２は金属瓦２の隅棟部分における施工と、図１０に示した棟下地材７の状況を示した説明図であり、図１３及び図１４（ア）（イ）は山部２２と谷部２３を有する金属瓦２の説明図である。
【０００３】
ちなみに、図１３に示した横長状の金属瓦２の施工は、図１０や図１１からうかがえるように、まず野地材３の上に防水紙４を敷設し、左右方向に、押板と呼ばれ幅が狭く高さも低い木材５を所定の間隔で止着し、金属瓦２の有効寸法に応じた間隔で、棟と平行に桟木６を止着する。次に金属瓦２を施工するが、この金属瓦２は、山部２２と谷部２３を交互に連続させた波状の面板部２１を有しており、軒側は折り下げられて折り下げ部２４となり、棟側は立ち上げられて立ち上がり壁２５を形成してから棟側に折り曲げられて上面部２６を形成している。このような金属瓦２の上面部２６を桟木６にかぶせ、さらに、上の段に葺く金属瓦２の軒側を重ねて、その立ち上がり壁２５と折り下げ部２４が重なった箇所を横方向から釘等の止着具にて桟木６に固定する。
図１４に示した縦長状の金属瓦２の施工は、図示していないが、釘等の止着具を用い、山部２２を、防水紙４の敷設された野地材３に固定し、軒側から順に重ねて施工していく。
【０００４】
図９に基づいて、このようにして施工された金属瓦２屋根の主棟部分について説明するが、金属瓦２の山部２２に棟下地材７を載せて固定し、棟カバー９をかぶせる。このとき、棟下地材７及び棟カバー９と金属瓦２との間の隙間Ａを塞ぐために、図１３ア線での切断形状を有する金属製の面戸１を棟下地材７に固定することもある。
【０００５】
隅棟部分は、図１０から図１２に示したように、左右に隣り合う金属瓦２・２の重なり箇所を馳組みしてある。さらに、棟下地材７を取り付けるが、図１０に示した棟下地材７は、図１２にも示した通り、梯子状に木材を組み合わせたものである。そして、それは、隅棟部分の左右に軒−棟方向に固定される木材（桟木）に、帯状の木材を所定間隔で架け渡して接続されている。この梯子状の棟下地材７を金属瓦２の上から止着し、さらにその上から棟カバー９をかぶせて固定し隅棟部分を施工する。
【０００６】
図１１は、金属瓦２までの施工は図１０と同様であるが、比較的低く角形の棟カバー９を使用しているため、図１０とは異なり、隅棟部分の左右に、比較的低い帯状の木材だけを用いて棟下地材７としている。そして、図１１も、棟カバー９を棟下地材７の上からかぶせて固定し隅棟部分を施工する。
【０００７】
【発明が解決しようとする課題】
金属瓦のように山部と谷部を有する屋根材を用いた場合には、棟下地材及び棟カバーと金属瓦との間に隙間Ａが生じてしまう。その隙間の状況は、金属瓦の谷部との間において顕著であることが図９及び図１２からもうかがえる。その隙間には鳥や蜂が巣を作り美観を損ねていた（たとえば、鳥が運んだ藁が隙間から出ていたり、糞で屋根が汚れたりしていた。）。
【０００８】
また、図９に示した金属製の面戸や、図示していないが、図９の面戸と同様の断面形状を有する発泡ポリウレタン等の面戸（ケミカル面戸と称されることが多い）を用いて隙間を塞ぐこともある。しかし、隅棟部分では、金属瓦の断面形状が、たとえば図１３イ線やウ線での切断形状といったように斜めになり、しかも現場によってさまざまであるため、どちらの面戸も１種類で主棟部分と兼用して対応することができなかった。
【０００９】
【課題を解決するための手段】
本発明に係る面戸は、これまで述べたような問題点を解決するために次のような構成になっている。まず、この面戸はポリプロピレン等の合成樹脂から成る硬質薄板でできており、上部と側部とが設けられた棟下地材が固定され、さらに棟カバーがかぶせられて施工される棟部分に用いられ、棟下地材に外側方向から当てられ固定される。面戸には、屋根材の表面に載置される当接面と、当接面から連設され、棟下地材の側部に添設される側面とが設けられている。
当接面または側面には切り込みが形成されており、当接面が屋根材の表面に載置され、
側面が棟下地材の側部に添設されたときに、当接面は曲面を形成することができ、当接面と側面とを合わせた長さは、少なくとも棟下地材及び棟カバーと屋根材の谷部との間の隙間を塞ぐことができる長さを有している。
【００１０】
具体的には、次のような面戸にするとよい。たとえば、上面と、上面の一側を折り下げた側面と、側面から連設された当接面とを形成し、当接面の下側方向から上側方向に向かって所定の間隔で切り込みを入れる方法がある。また、上面と、上面の一側を折り下げた側面と、側面の下縁を外側方向に折り曲げた当接面とを形成し、当接面には、外側方向から内側方向に向かって所定の間隔で切り込みを入れる方法がある。さらに、当接面と、当接面の一側を立ち上げた側面とを形成し、側面には、上側方向から当接面に向かって所定の間隔で切り込みを入れるが、その切り込みを少なくとも側面と当接面との角部分にまで入れる方法がある。尚、切り込みは、当接面または側面に単に切れ目を入れて形成してもよいし、当接面または側面を所定の間隔で切り落として形成してもよい。
【００１１】
このような構成の面戸を用いて棟部分を施工する場合には、面戸を外側方向から棟下地材に当てながら、当接面を屋根材の表面の形状に添わせるように屋根材上に載置し、釘やステープル等の止着具で棟下地材に止着し、棟カバーをかぶせる。
詳述すると、最初に説明した面戸の場合には、面戸を棟下地材の外側方向から当てるが、面戸の上面を棟下地材の上部に載せ、側面を側部に添設し、当接面を屋根材に添わせながら止着する。次に説明した面戸の場合にも、上面を棟下地材の上部に載せ、側面を側部に添設し、当接面を屋根材に添わせながら止着する。さらに、最後に説明した面戸の場合には、当接面を屋根材に添わせながら側面を左右に広げるようにして棟下地材の側部に添設し止着する。
【００１２】
【作用】
面戸には、側面または当接面に切り込みが入れられている。このため、棟下地材に、本願発明に係る面戸を外側方向から取り付けたときには、当接面は、棟部分の屋根材の表面の形状に従って波打つように屋根材に添って載置されるので、棟下地材及び棟カバーと屋根材の谷部との間の隙間を塞ぐことができる。つまり、切り込みがあることで、当接面が変形可能となり、曲面を形成することができ、屋根材の表面の形状に添うのである。
【００１３】
【実施例】
図１から図８に基づき説明するが、図１は本願発明に係る面戸の第一実施例を示す説明図であり、図２は第二実施例を示す説明図であり、図３は第三実施例を示す説明図であり、図４は図１に示した面戸の切り込みの実施例の説明図であり、図５は本願発明に係る面戸の主棟部分への取り付け状態を示す説明図であり、図６は本願発明に係る面戸の隅棟部分への取り付け状態を示す端面図であり、図７は本願発明に係る面戸の取り付け状態を示す説明図であり、図８は図３に示した面戸の棟部分における変形状態を示す説明図である。
【００１４】
まず、図１により、本願発明に係る面戸の第一実施例について説明する。この面戸１は、ポリプロピレン等の合成樹脂から成る硬質薄板でできており、上面１１と、上面１１の一側を折り下げ、後述する棟下地材７の側部７２に添設される側面１２と、側面１２から連設された当接面１３とから成っている。当接面１３と側面１２とを合わせた長さは、金属瓦２のように山部２２と谷部２３を有する屋根材の表面に載置されたときに、棟下地材７及び棟カバー９と金属瓦２の谷部２３との間の隙間Ａを塞ぐことができる長さを有しており、下側方向から上側方向に向かって所定の間隔で切り込み１ａ・１ａが入れられている。
【００１５】
このような構成の面戸１を用いた実施例として、図５により説明するが、これは金属瓦屋根の主棟部分への取り付け状態を示しており、金属瓦２は、図１３に示した通りの構成であり、形状や施工法も従来技術の項目で説明した通りである。この場合には、図５に示したように、棟下地材７の上部７１に外側方向から面戸１の上面１１を載せ、側部７２に側面１２を添設し、釘やステープル等の止着具で棟下地材７に固定する。このとき面戸１の当接面１３には、下側方向から上側方向に向かって所定の間隔で切り込み１ａ・１ａが入れられているので、当接面１３・１３が金属瓦２・２に載置されたときに金属瓦２・２の表面の形状に容易に添う。
【００１６】
次に、図１の面戸１を用いて金属瓦２を用いた屋根の隅棟部分を施工する方法を説明する。たとえば、図６に示したように、左右の棟下地材７・７の上部７１・７１に外側方向から面戸１・１の上面１１・１１を載せ、側部７２・７２に側面１２・１２を添設し、釘やステープル等の止着具で棟下地材７・７に固定する（尚、図６の棟下地材７の上部７１・７１の上の二点鎖線は防水紙を示している）。このとき、面戸１・１の当接面１３・１３には下側方向から上側方向に向かって所定の間隔で切り込み１ａ・１ａが入れられているので、図６の点線で示した通り、当接面１３・１３が金属瓦２・２に載置されたときに金属瓦２・２の表面の形状に容易に添う。
【００１７】
図７に基づいてその変形状態を詳述すると、金属瓦２の谷部２３の上に位置する当接面１３は、下縁が外側方向にわずかに曲がる程度の曲線を描いて所々重なりながら表面に載置され、山部２２の上に位置する当接面１３は、いっそうしなうように折り曲げられて表面に載置される。
【００１８】
次に図２により、第二実施例について説明する。この面戸１は、上面１１と、上面１１の一側を折り下げ、棟下地材７の側部７２に添設される側面１２と、側面１２の下縁を外側方向に折り曲げた当接面１３とから成っている。当接面１３と側面１２とを合わせた長さは、金属瓦２のような屋根材の表面に載置されたときに、棟下地材７及び棟カバー９と金属瓦２の谷部２３との間の隙間Ａを塞ぐことができる長さを有しており、外側方向から内側方向に向かって所定の間隔で切り込み１ａ・１ａが入れられている。切り込み１ａ・１ａは、側面１２にまでかかってもよい。
【００１９】
この面戸１を用いた実施例として、金属瓦屋根の主棟及び隅棟部分を施工する方法を説明するが、やはり、第一実施例と同様であり、棟下地材７の外側方向から面戸１を当てるが、上部７１・７１に面戸１・１の上面１１・１１を当て側部７２・７２に側面１２・１２を当てて、上面１１・１１を釘等の止着具で棟下地材７に止着する。このとき面戸１の当接面１３・１３には、外側方向から内側方向に向かって所定の間隔で切り込み１ａ・１ａが入れられているので、図５から図７同様に、当接面１３・１３が金属瓦２・２に載置されたときに金属瓦２・２の表面の形状に容易に添う。
【００２０】
続いて、図３により第三実施例について説明する。この面戸１も、当接面１３と、当接面１３の一側を立ち上げた側面１２とから成っており、側面１２には、上側方向から当接面１３に向かって所定の間隔で切り込み１ａ・１ａが入れられている。この切り込み１ａは、少なくとも側面１２と当接面１３との角部分にまで入れるが、当接面１３にまで切り込み１ａがかかってもよい。尚、当接面１３と側面１２とを合わせた長さは、当接面１３が金属瓦２の表面に載置されたときに、棟下地材７及び棟カバー９と金属瓦２の谷部２３との間の隙間Ａを塞ぐことができる長さを有している。
【００２１】
この面戸１を用いた実施例として、金属瓦屋根の主棟及び隅棟部分を施工する方法を説明するが、第一実施例及び第二実施例と同様に、棟下地材７の側部７２・７２に外側方向から側面１２・１２を添設しながら、当接面１３・１３を金属瓦２・２の表面の形状に添って載置し、釘等の止着具で棟下地材７に固定する。
【００２２】
図８によりこのときの状態を示すが、面戸１の側面１２には、上側方向から下側方向に向かって、上端から当接面１３に至るまで、所定の間隔で切り込み１ａ・１ａが入れられている。この切り込み１ａ・１ａによって、側面１２を左右方向に広げたり縮めたりすることができ、それに従って当接面１３が曲面を形成することができる。このため、第三実施例の場合にも、当接面１３が金属瓦２・２に載置されたときに金属瓦２・２の表面の形状に容易に添う。
尚、図８の通り、側面１２は、（当接面１３が金属瓦２の山部２２に載置された箇所において）上縁が広がるような曲線を描いて左右方向に広がるので、側面１２の高さによって上端が棟下地材７の上部７１よりも突出したときには折り曲げればよい。
【００２３】
また、図４に示した実施例の通り、図１の面戸１のように当接面１３に単に切れ目を入れるだけでなく、当接面１３を所定の間隔で切り落とすようにして切り込み１ａ・１ａを形成してもよい。この切り込み１ａは、巣作りができない程度の大きさであればよく、さまざまな形状にすることができる。このような切り込み１ａ・１ａは、図４に倣って、図１の面戸１だけでなく、図２及び図３に示した面戸１に形成してもよい。さらに、切れ目を入れただけの切り込み１ａ・１ａと所定の間隔で切り落として形成した切り込み１ａ・１ａとを混在させてもよい。
切り落とすようにして形成された切り込み１ａ・１ａを有する面戸１を、図６に示したような、左右に隣り合う屋根面の金属瓦２・２を立ち上げただけで馳組みしなかった棟部分に用いたならば、その切り込み１ａ・１ａを通して換気することもできる。
【００２４】
これまで述べた通り、本願発明に係る面戸１は、当接面１３または側面１２に切り込み１ａ・１ａを設けることで、瓦形のように山部と谷部を有する屋根材の棟部分の表面に添った形状に当接面１３を変形させることができる。
【００２５】
さらに、本願発明に係る面戸１はポリプロピレン等の合成樹脂から成る硬質薄板であり、当接面１３が金属瓦２の表面に載置されたときに、その山部２２や谷部２３の形状に添って変形するように、当接面１３または側面１２に切り込み１ａ・１ａが形成されており、その当接面１３と側面１２とを合わせて、少なくとも棟下地材７及び棟カバー９と金属瓦２の谷部２３との間の隙間Ａを塞ぐことができる長さを有している。このため、面戸１を棟下地材７に外側方向から取り付け、当接面１３を金属瓦２に載置したときに、当接面１３が金属瓦２の表面の形状に容易に添い、曲面を形成することができ、棟下地材７及びあとからかぶせられる棟カバー９と金属瓦２の谷部２３との間にできる隙間Ａを塞ぐことができる。
【００２６】
特に、隅棟部分の金属瓦２の表面の形状は、左右の屋根面が合わさる角度によってさまざまであり、従って、棟下地材７及び棟カバー９と金属瓦２の谷部２３との間にできる隙間Ａの形状もさまざまである。しかし、本願発明に係る面戸１であれば主棟部分にも隅棟部分にも兼用して使え、しかも、隅棟部分のように、隙間Ａの形状が現場によって違っても、当接面１３が金属瓦２の表面の形状に添うし、当接面１３と側面１２とを合わせて、隙間Ａを塞ぐことができる長さを有しているので、さまざまな形状の隙間Ａを塞ぐことができる。
【００２７】
また、本願発明に係る面戸１は、素材に切り込み１ａ・１ａを入れることで容易に製作できる。さらに、山部２２と谷部２３を有する屋根材であれば、さまざまな金属瓦２に使えるだけでなく、窯業系の瓦の場合にも本願発明に係る面戸１を用いることができる。
【００２８】
【発明の効果】
従来は、棟下地材及び棟カバーと屋根材の谷部との間の隙間に鳥や蜂が巣を作り美観を損ねていたが、本願発明に係る面戸を用いたならば、その隙間を容易に塞ぐことができるので、巣を作られて美観を損ねることがなくなる。
【００２９】
また、従来の金属製の面戸や発泡ポリウレタン等の面戸（ケミカル面戸と称されることが多い）では、１種類で主棟部分と隅棟部分とに兼用することができなかったが、本願発明に係る面戸であれば、主棟部分にも、さまざまな現場の隅棟部分にも対応することができる。
【図面の簡単な説明】
【図１】本願発明に係る面戸の第一実施例を示す説明図でる。
【図２】第二実施例を示す説明図である。
【図３】第三実施例を示す説明図である。
【図４】  図１に示した面戸において、切り込みの実施例の説明図である。
【図５】本願発明に係る面戸の主棟部分への取り付け状態を示す説明図である。
【図６】本願発明に係る面戸の取り付け状態を示す端面図である。
【図７】本願発明に係る面戸の取り付け状態を示す説明図である。
【図８】図３に示した面戸の変形状態を示す説明図である。
【図９】従来技術を表す説明図である。
【図１０】従来技術を表す説明図である。
【図１１】従来技術を表す説明図である。
【図１２】金属瓦の隅棟部分の施工状態を示す説明図である。
【図１３】金属瓦の実施例を表す説明図である。
【図１４】（ア）（イ）は金属瓦の他の実施例を表す説明図であり、（ア）は正面から見たときの端面図であり、（イ）は側面図である。
【符号の説明】
１    面戸
１１  上面
１２  側面
１３  当接面
１ａ  切り込み
２    金属瓦
２１  面板部
２２  山部
２３  谷部
２４  折り下げ部
２５  立ち上がり壁
２６  上面部
３    野地材
４    防水紙
５    木材
６    桟木
７    棟下地材
７１  上部
７２  側部
９    棟カバー
Ａ    隙間
【図１】
0004012619.tif 000002
【図２】
0004012619.tif 000003
【図３】
0004012619.tif 000004
【図４】
0004012619.tif 000005
【図５】
0004012619.tif 000006
【図６】
0004012619.tif 000007
【図７】
0004012619.tif 000008
【図８】
0004012619.tif 000009
【図９】
0004012619.tif 000010
【図１０】
0004012619.tif 000011
【図１１】
0004012619.tif 000012
【図１２】
0004012619.tif 000013
【図１３】
0004012619.tif 000014
【図１４】
0004012619.tif 000015